(57)【要約】【課題】防犯性に向上した引戸とする。【解決手段】錠装置６の錠受６ｂを、面内方向外側が開口した箱型形状で、縦壁６０に係合穴６５とねじ挿通孔６６を有するものとし、錠受６の開口端面を縦枠２ｃの内側面２０ａに接し、ねじ挿通孔６６からねじ６９を縦枠２ｃに螺合して取り付け、バール等で錠受６ｂを変形したり、取り外しすることが困難とすることで、防犯性を向上した引戸とする。【選択図】図２
2015169007.tif 000002
【特許請求の範囲】
【請求項１】
枠体の縦枠に取り付けた錠受と、障子の縦框に取り付けた錠とより成る錠装置を備えた引戸であって、
前記錠受は、ねじ挿通孔と係合穴を有した面外方向に向かう縦壁と、面外方向に対向した一側縦壁、他側縦壁と、上下方向に対向した上側横壁、下側横壁とで、面内方向外側に開口した箱型形状とし、
前記錠受を、開口端面が縦枠の内側面に接するように、前記ねじ挿通孔を挿通したねじで縦枠に取り付けしたことを特徴とする引戸。
【請求項２】
前記縦枠は、内側面に内向片を有し、
前記錠受は、上側横壁と下側横壁に、開口端面に開口した溝を有し、
前記錠受は、溝を内向片に嵌め合わせることで開口端面を縦枠の内側面に接して取り付けた請求項１記載の引戸。
【請求項３】
前記縦枠の内向片の室外側面と錠受の溝との間に、排水用空間を形成した請求項２記載の引戸。
【請求項４】
前記錠受の上側横壁、下側横壁の面外方向両側に溝をそれぞれ有し、
前記錠受のねじ挿通孔は、縦壁の面外方向中心と面外方向にずれている請求項３記載の引戸。
【発明の詳細な説明】
【技術分野】
【０００１】
本発明は、引違い窓、片引き窓、引違い戸、片引き戸などの引戸に関する。
【背景技術】
【０００２】
引違い戸が特許文献１に開示されている。
この引違い戸は、枠体と、枠体に閉じ位置と開き位置に面内方向に移動自在に装着した障子とを備えている。障子の縦框に錠を取り付けると共に、枠体の縦枠に錠受を取り付け、錠の錠杆を錠受に係合することで障子を閉じ位置で施錠するものである。
【先行技術文献】
【特許文献】
【０００３】
【特許文献１】実開昭６３−１８６８６９号公報
【発明の概要】
【発明が解決しようとする課題】
【０００４】
前述した従来の引違い戸の錠受は、縦枠の内側面に取り付ける縦片と、孔を有する横片とで鉤形状である。
錠受の横片の孔に錠の錠杆を係合することで施錠する。
このようであるから、枠体の縦枠の内側面と障子の縦框の外側面との間に、バール等の金属棒を押し込み、金属棒で錠受の横片を変形して錠杆との係合を故意に外したり、錠受を縦枠から故意に取り外すことが容易であるから、防犯性に劣る。
【０００５】
本発明の目的は、錠受を変形して錠杆との係合を故意に外したり、錠受を故意に取り外すことが困難で、防犯性が向上した引戸とすることである。
【課題を解決するための手段】
【０００６】
本発明は、枠体の縦枠に取り付けた錠受と、障子の縦框に取り付けた錠とより成る錠装置を備えた引戸であって、
前記錠受は、ねじ挿通孔と係合穴を有した面外方向に向かう縦壁と、面外方向に対向した一側縦壁、他側縦壁と、上下方向に対向した上側横壁、下側横壁とで、面内方向外側に開口した箱型形状とし、
前記錠受を、開口端面が縦枠の内側面に接するように、前記ねじ挿通孔を挿通したねじで縦枠に取り付けしたことを特徴とする引戸である。
【０００７】
本発明の引戸においては、前記縦枠は、内側面に内向片を有し、
前記錠受は、上側横壁と下側横壁に、開口端面に開口した溝を有し、
前記錠受は、溝を内向片に嵌め合わせることで開口端面を縦枠の内側面に接して取り付けることができる。
このようにすれば、内側面に内向片を有した縦枠に錠受を、内向片を切断せずに取り付けできるので、内向片を水受けとして利用できる。
【０００８】
本発明の引戸においては、前記縦枠の内向片の室外側面と錠受の溝との間に、排水用空間を形成することができる。
このようにすれば、縦枠の内向片の室外側面に沿って流れ、錠受の上部に溜まった水は排水用空間を通って流れ落ちるので、錠受の上部に溜まった水が室内側に流れることがない。
【０００９】
本発明の引戸においては、前記錠受の上側横壁、下側横壁の面外方向両側に溝をそれぞれ有し、
前記錠受のねじ挿通孔は、縦壁の面外方向中心と面外方向にずれているようにできる。
このようにすれば、錠受を面外方向に反転してねじ挿通孔が室内側寄り、室外側寄りとして取り付けできるので、種々の形状の縦枠に錠受を取り付けできる。
【発明の効果】
【００１０】
本発明によれば、縦枠の内側面と縦框との間から金属棒を挿入し、その金属棒により錠受を変形して錠の錠杆との係合を故意に外したり、錠受を故意に取り外すことが困難であるから、防犯性が向上した引戸とすることができる。
【図面の簡単な説明】
【００１１】
【図１】引違い戸の内観図である。
【図２】図１のＡ−Ａ拡大断面図である。
【図３】錠受の正面図である。
【図４】錠受の平面図である。
【図５】錠受の底面図である。
【図６】図３のＢ−Ｂ拡大断面図である。
【図７】図３のＣ−Ｃ拡大断面図である。
【図８】錠受の斜視図である。
【図９】図２の錠受取付部分の拡大図である。
【図１０】縦枠と下枠の錠受取付部分を室外側から見た斜視図である。
【図１１】縦枠と錠受の分解斜視図である。
【図１２】錠受を面外方向に反転して取り付けた状態の平面図である。
【発明を実施するための形態】
【００１２】
図１は引違い戸の内観図で、引違い戸１は枠体２と、枠体２に閉じ位置と開き位置に面内方向に移動自在に装着した室外側の外障子３と室内側の内障子４を備えている。
枠体２は、上枠２ａと下枠２ｂと左右の縦枠２ｃ，２ｃを方形枠状に連結してある。
内障子４の戸当り框である縦框５と左右一方の縦枠２ｃとに渡って錠装置６が取り付けてある。
【００１３】
錠装置６は、図２に示すように錠６ａと錠受６ｂを有する。錠６ａは縦框５に取り付けてある。錠受６ｂは縦枠２ｃに取り付けてある。
【００１４】
縦框５は、面内方向に向かう室内側の室内側壁５０、室外側の室外側壁５１と、面外方向に向かう面内方向内側の内側壁５２、面内方向外側の外側壁５３で、中空部５４と凹部５５を有する。凹部５５は面内方向の外側に開口している。
縦框５の面内方向外側とは縦枠２ｃに向かう側で、面内方向内側とは縦枠２ｃと反対側に向かう側である。
【００１５】
縦枠２ｃは、面外方向に向かう本体２０と、本体２０の室内側端に設けた面内方向の内側に向かう室内側内向壁２１と、本体２０の室外側端に設けた面内方向の内側に向かう室外側内向壁２２と、本体２０の内側面２０ａに面内方向の内側に向けて設けた内向片（縦枠レール）２３とを有する。
内向壁２１，２２は縦框５に向けて突出している。
内側面２０ａとは縦框５に向かう面である。
本体２０の外側面２０ｂには一対のアンカー取付片２４が設けてある。
一対のアンカー取付片２４にアンカー２５を係止して取り付けてある。アンカー２５は、縦枠２ｃを建物躯体に取り付けるものである。
【００１６】
縦枠２ｃの内向片２３は、本体２０の長さ方向に連続して設けてある。内障子４を閉じ位置としたときに、内向片２３は縦框５の凹部５５内に突出する。
内障子４を閉じ位置とした状態で、縦框５の室外側壁５１の面内方向外側端５１ａと縦枠２ｃの本体２０の内側面２０ａとの間に隙間Ｓが生じる。
室外から吹きつけられた水が前述の隙間Ｓから室内側に向けて浸入する。この水は内向片２３の室外側面２３ａに衝突して室内側に向けて流れることを抑制する。つまり、内向片２３は水受けとして機能する。
【００１７】
錠６ａは錠本体１０と錠杆１１を備え、錠本体１０は縦框５の室内側壁５０と室外側壁５１に固着して取り付けられる。
錠杆１１は外側壁５３の穴（図示せず）から凹部５５に突出している。
錠本体１０の室外側部１０ａのキー溝にキーを挿入して操作、錠本体１０の室内側部１０ｂに設けたサムターン１２を操作することで、錠杆１１を錠受６ｂに係合して施錠し、錠杆１１を錠杆６ｂから外すことで解錠する。
【００１８】
錠受６ｂは、図３〜図８に示すように、面外方向に向かう縦壁６０と、縦壁６０の面外方向一側縁に面内方向外側に向けて設けた一側縦壁６１と、縦壁６０の面外方向他側縁に面内方向外側に向けて設けた他側縦壁６２と、縦壁６０の上下方向上端縁に面内方向外側に向けて設けた上側横壁６３と、縦壁６０の上下方向下端縁に面内方向外側に向けて設けた下側横壁６４とで、面内方向外側に開口した箱型形状である。実施形態の錠受６ｂは板材を折り曲げ加工したものである。
【００１９】
錠受６ｂは、縦壁６０の上下方向中間部に係合穴６５を有し、縦壁６０の上部と下部にねじ挿通孔６６を有している。ねじ挿通孔６６は縦壁６０、つまり錠受６ｂの面外方向中心ａから面外方向一側方にずれた位置に形成してある。
上側横壁６３と下側横壁６４の面外方向両側に一側溝６７と他側溝６８を有する。一側溝６７、他側溝６８は、面外方向一側の面内方向に向かう一側面６７ａ，６８ａと、面外方向他側の面内方向に向かう他側面６７ｂ，６８ｂと、面外方向に向かう底面６７ｃ，６８ｃとを有した面内方向の長溝状で、上側横壁６３、下側横壁６４の上下面及び面外方向外側端面６３ａ，６４ａに開口している。
【００２０】
錠受６ｂは、図９、図１０、図１１に示すように、縦枠２ｃの本体２０の内側面２０ａに、次のようにして取り付ける。
錠受６ｂの一側縦壁６１を室内側で、他側縦壁６２を室外側とすると共に、一側溝６７を内向片２３に嵌め合わせる。
そして、一側縦壁６１、他側縦壁６２の面内方向外側端面６１ａ，６２ａと上側横壁６３、下側横壁６４の面内方向外側端面６３ａ，６４ａ（つまり、錠受６ｂの開口端面）を、縦枠２ｃの本体２０の内側面２０ａに接する。
この状態で、上下のねじ挿通孔６６からねじ６９を縦枠２ｃの本体２０に螺合し、錠受６ｂを本体２０の内側面２０ａに取り付ける。
実施形態では、縦枠２ｃの本体２０の外側面２０ｂに裏板７をねじ８で固着して取り付ける。ねじ６９を縦枠２ｃの本体２０の孔２６を挿通して裏板７のねじ穴７ａに螺合している。
【００２１】
図２に示すように、内障子４を閉じ位置とした状態で、錠杆１１を錠受６の係合穴６５に係合し、施錠する。実施形態では錠杆１１は図１１に示すように鉤形状である。
【００２２】
このようであるから、錠受６ｂは箱型形状で、開口端面が縦枠２ｃの本体２０の内側面２０ａに接しているから、縦框５の室外側壁５１の面内方向外側端５１ａと本体２０の内側面２０ａとの間の隙間Ｓよりバール等の金属棒を挿入し、金属棒で錠受６ｂを変形して錠杆１１との係合を故意に外したり、錠受６ｂを故意に縦枠２ｃの本体２０から取り外すことは困難である。
したがって、防犯性が向上した引違い戸である。
【００２３】
また、錠受６ｂの上側横壁６３、下側横壁６４の一側溝６７を縦枠２ｃの内向片２３を嵌め合わせてあるので、内向片２３は縦枠２ｃの長さ方向に連続している。
これにより、前述の隙間Ｓから浸入した水は内向片２３により室内側に入り込むことが抑制され、内向片２３の室外側面２３ａに沿って流れ落ちる。つまり、内向片２３は水受けとしての機能を損なうことがない。
【００２４】
しかも、図９に示すように、一側溝６７の他側面（室外側面）６７ｂと内向片２３の室外側面２３ａとの間にスリット状の排水空間ｂを形成している。一側溝６７の一側面（室内側面）６７ａと内向片２３の室内側面２３ｂは接している。
これにより、内向片２３の上部から流れ落ち、錠受６ｂの上部（上側横壁６３）に溜まった水は、排水空間ｂから流下し、内向片２３の室外側面２３ａに沿って流れ落ちる。したがって、錠受６ｂの上部に溜まった水が室内に流れることがない。
実施形態では、内向片２３の室外側面２３ａの先端部に室外側に向かう突片２３ｃを有している。突片２３ｃは、内向片２３の室外側面２３ａから室内側面２３ｂに水が回り込むことを抑制する。
【００２５】
内向片２３の室外側面２３ａに沿って流れ落ちた水は、図１０に矢印で示すように、下枠２ｂの室外側下レール２７の排水口２７ａ、室外側縦片２８の排水口２８ａから排水される。
【００２６】
図２に示す縦枠２ｃは、縦枠２ｃの本体２０がアンカー取付片２４を有しているがアンカー取付片２４が内向片２３と面外方向に離隔しているので、錠受６ｂは、ねじ挿通孔６６が錠受６ｂの面外方向中心ａよりも室内側寄りとして取り付けることができる。
【００２７】
これに対して図１２に示す縦枠２ｃは、本体２０の外側面２０ｂにアンカー取付片２４を有し、アンカー取付片２４は内向片２３と面外方向に接近しているので、図２に示すように錠受６ｂを取り付けようとするとねじ６９がアンカー取付片２４と干渉する。この場合には、錠受６ｂは、ねじ挿通孔６６が錠受６ｂの面外方向中心ａよりも室外側寄りとして取り付け、ねじ６９がアンカー取付片２４と干渉しないようにしている。
すなわち、錠受６ｂは、ねじ挿通孔６６が錠受６ｂの面外方向中心ａとずれていると共に、面外方向の両側に一側溝６７、他側溝６８を有しているので、錠受６ｂは面外方向に反転することで、ねじ挿通孔６６を室内側寄りとしたり、室外側寄りとすることができる。
したがって、錠受６ｂは種々の形状の縦枠に取り付けることができる。
【００２８】
前述の実施の形態は引違い戸であるが、片引き戸、引違い窓、片引き窓などとすることができる。
【符号の説明】
【００２９】
２…枠体、２ｃ…縦枠、５…縦框、６…錠装置、６ａ…錠、６ｂ…錠受、２０…本体、２０ａ…内側面、２３…内向片、２３ａ…室外側面、６０…縦壁、６１…一側縦壁、６２…他側縦壁、６３…上側横壁、６４…下側横壁、６５…係合穴、６６…ねじ挿通孔、６７…一側溝、６８…他側溝、６９…ねじ、ｂ…排水空間。
【図１】
2015169007.tif 000003
【図２】
2015169007.tif 000004
【図３】
2015169007.tif 000005
【図４】
2015169007.tif 000006
【図５】
2015169007.tif 000007
【図６】
2015169007.tif 000008
【図７】
2015169007.tif 000009
【図８】
2015169007.tif 000010
【図９】
2015169007.tif 000011
【図１０】
2015169007.tif 000012
【図１１】
2015169007.tif 000013
【図１２】
2015169007.tif 000014